(57)【要約】【課題】他物の支持位置をより簡単に調整できるようにする。【解決手段】他物支持部材１１を他物固定用部材１３と中間連結用部材１４とから構成し、下地側支持部材９の上端部に第１下地側縦壁部１５を設けると共に第２下地側縦壁部１６とを設け、中間連結用部材１４に第１中間縦壁部１７と第２中間縦壁部１８とを設け、他物固定用部材１３に他物側縦壁部１９を設け、第１下地側縦壁部１５と第１中間縦壁部１７と他物側縦壁部１９とに第１ボルト２０が共に貫通する第１貫通孔２１を夫々設け、第２下地側縦壁部１６と第２中間縦壁部１８とに第２ボルト２２が共に貫通する第２貫通孔２３を設け、第１下地側縦壁部１５の第１貫通孔２１を上下方向に沿った縦長孔に形成し、他物側縦壁部１９の第１貫通孔２１を横方向に沿った横長孔に形成し、第２下地側縦壁部１６の第２貫通孔２３を上下方向に沿った縦長孔に形成してある。【選択図】図６
2015105533.tif 000002
【特許請求の範囲】
【請求項１】
取付け下地への第１固定部を備えた下地側支持部材と、
上側の固定対象である他物を固定自在な第２固定部を備えた他物支持部材とを設け、
前記下地側支持部材の上端部と、前記他物支持部材の下端部とに、相互にボルトを介して連結自在な連結部を設けてある他物固定具であって、
前記他物支持部材を、前記第２固定部を備えた他物固定用部材と、その他物固定用部材と前記下地側支持部材との間に介在させる中間連結用部材とから構成し、
前記連結部を構成するのに、
前記下地側支持部材の上端部に、互いに平行で対向する一対の第１下地側縦壁部を設けると共に、その第１下地側縦壁部とは異なった方向で互いに平行で対向する一対の第２下地側縦壁部とを設け、
前記中間連結用部材に、前記第１下地側縦壁部に沿った一対の第１中間縦壁部と、前記第２下地側縦壁部に沿った一対の第２中間縦壁部とを設け、
前記他物固定用部材に、前記第１中間縦壁部に沿った一対の他物側縦壁部を設け、
前記第１下地側縦壁部と前記第１中間縦壁部と前記他物側縦壁部とに第１ボルトが共に貫通する第１貫通孔を夫々設け、
前記第２下地側縦壁部と前記第２中間縦壁部とに第２ボルトが共に貫通する第２貫通孔を設け、
前記第１下地側縦壁部の前記第１貫通孔を上下方向に沿った縦長孔に形成し、前記他物側縦壁部の前記第１貫通孔を横方向に沿った横長孔に形成し、
前記第２下地側縦壁部の前記第２貫通孔と前記第２中間縦壁部の前記第２貫通孔との内の少なくともいずれか一方を上下方向に沿った縦長孔に形成してある他物固定具。
【請求項２】
前記第１下地側縦壁部の外側に前記他物側縦壁部を配置させると共に、前記第１下地側縦壁部の内側に前記第１中間縦壁部を配置するようにして、それらを前記第１貫通孔を貫通する前記第１ボルトで共締め可能に構成してある請求項１に記載の他物固定具。
【請求項３】
前記中間連結用部材の上端部に前記他物固定用部材の下面部が載置可能に構成してある請求項１または２に記載の他物固定具。
【発明の詳細な説明】
【技術分野】
【０００１】
本発明は、取付け下地への第１固定部を備えた下地側支持部材と、上側の固定対象である他物を固定自在な第２固定部を備えた他物支持部材とを設け、前記下地側支持部材の上端部と、前記他物支持部材の下端部とに、相互にボルトを介して連結自在な連結部を設けてある他物固定具に関する。
【背景技術】
【０００２】
図１３に示すように、従来、他物３を他物固定具によって下地に固定するのに、その固定位置を上下高さ及び左右横方向に位置調整して固定できるように、前記他物支持部材１１を、前記第２固定部１０を備えた他物固定用部材１３と、その他物固定用部材１３と前記下地側支持部材９との間に介在させる中間連結用部材１４とから構成し、連結部１２を構成するのに、前記下地側支持部材９の上端部に、互いに平行で対向する一対の第１下地側縦壁部１５を設けると共に、その第１下地側縦壁部１５とは異なった方向で互いに平行で対向する一対の第２下地側縦壁部１６とを設け、前記中間連結用部材１４に、前記第１下地側縦壁部１５に沿った一対の第１中間縦壁部１７と、前記第２下地側縦壁部１６に沿った一対の第２中間縦壁部１８とを設け、前記他物固定用部材１３に、前記第１中間縦壁部１７に沿った一対の他物側縦壁部１９を設け、前記第１下地側縦壁部１５と前記第１中間縦壁部１７に第１ボルト２０が共に貫通する第１貫通孔２１を設け、前記第２下地側縦壁部１６と前記第２中間縦壁部１８とに第２ボルト２２が共に貫通する第２貫通孔２３を設け、前記他物側縦壁部１９と前記第１中間縦壁部１７における前記第１貫通孔２１よりも上方部分に、第３ボルト３９が貫通する第３貫通孔４０を設け、前記第１下地側縦壁部１５の前記第１貫通孔２１を上下方向に沿った縦長孔に形成し、前記第１中間縦壁部１７の前記第１貫通孔２１を丸孔に形成し、第２下地側縦壁部１６の前記第２貫通孔２３を上下方向に沿った縦長孔に形成し、前記第２中間縦壁部１８の前記第２貫通孔２３を丸孔に形成し、前記他物側縦壁部１９と前記第１中間縦壁部１７とにおける第３貫通孔４０の内のいずれか１方を、横方向に沿った横長孔に形成すると共に、他方を丸孔に形成してあった（例えば、特許文献１参照）。
尚、前記第１下地側縦壁部１５と前記第１中間縦壁部１７とを前記第１ボルト２０で締め付け連結すると共に、前記第２下地側縦壁部１６と前記第２中間縦壁部１８とを前記第２ボルト２２で締め付け連結するのは、外力から受ける上下移動力に対抗するのみならず、夫々異なった横方向に作用する外力に対抗して他物３を移動不能に支持するためである。
【先行技術文献】
【特許文献】
【０００３】
【特許文献１】特開２０１２−８７５８０号公報
【発明の概要】
【発明が解決しようとする課題】
【０００４】
上述した従来の他物固定具では、下地に対する他物３の固定位置を、上下調整するには、下地側支持部材９に対して中間連結用部材１４を上下変位調整して、第１ボルト２０と第２ボルト２２を締め付けた後に、中間連結用部材１４に対して他物固定用部材１３を横方向に変位調整して第３ボルト３９を締め付けて固定しなければならず、ボルトの締め付け操作が多く、作業手間が多くかかるという問題点がある。
【０００５】
従って、本発明の目的は、上記問題点を解消し、他物の支持位置をより簡単に調整できるようにするところにある。
【課題を解決するための手段】
【０００６】
本発明の第１の特徴構成は、取付け下地への第１固定部を備えた下地側支持部材と、上側の固定対象である他物を固定自在な第２固定部を備えた他物支持部材とを設け、前記下地側支持部材の上端部と、前記他物支持部材の下端部とに、相互にボルトを介して連結自在な連結部を設けてある他物固定具であって、前記他物支持部材を、前記第２固定部を備えた他物固定用部材と、その他物固定用部材と前記下地側支持部材との間に介在させる中間連結用部材とから構成し、前記連結部を構成するのに、前記下地側支持部材の上端部に、互いに平行で対向する一対の第１下地側縦壁部を設けると共に、その第１下地側縦壁部とは異なった方向で互いに平行で対向する一対の第２下地側縦壁部とを設け、前記中間連結用部材に、前記第１下地側縦壁部に沿った一対の第１中間縦壁部と、前記第２下地側縦壁部に沿った一対の第２中間縦壁部とを設け、前記他物固定用部材に、前記第１中間縦壁部に沿った一対の他物側縦壁部を設け、前記第１下地側縦壁部と前記第１中間縦壁部と前記他物側縦壁部とに第１ボルトが共に貫通する第１貫通孔を夫々設け、前記第２下地側縦壁部と前記第２中間縦壁部とに第２ボルトが共に貫通する第２貫通孔を設け、第１下地側縦壁部の第１貫通孔を上下方向に沿った縦長孔に形成し、他物側縦壁部の第１貫通孔を横方向に沿った横長孔に形成し、前記第２下地側縦壁部の第２貫通孔と前記第２中間縦壁部の第２貫通孔との内の少なくともいずれか一方を上下方向に沿った縦長孔に形成したところにある。
【０００７】
本発明の第１の特徴構成によれば、他物を下地に対して固定するのに、前記第２下地側縦壁部と前記第２中間縦壁部とを、夫々に設けた第２貫通孔に第２ボルトを貫通させ、前記第２下地側縦壁部の第２貫通孔と前記第２中間縦壁部の第２貫通孔との内のいずれか一方に形成した縦長孔に沿って前記第２下地側縦壁部に対して前記第２中間縦壁部を上下変位調整して仮締めすることにより、他物支持部材の上下位置は、仮決めできる。
尚、第１下地側縦壁部の第１貫通孔を上下方向に沿った縦長孔に形成してあるために、前記第１中間縦壁部と前記他物側縦壁部とに形成した第１貫通孔と第１下地側縦壁部の第１貫通孔に第１ボルトを貫通させた状態で、上下変位可能であり、前記第１ボルトは、締めなくても、他物支持部材は下地側支持部材に支持される。
次に、他物側縦壁部の第１貫通孔を横方向に沿った横長孔に形成してあるために、第１ボルトを締める前に、他物固定用部材を中間連結部材に対して横方向に変位調整して締め付ければ、他物の横方向における位置決めができると同時に、上下方向の位置固定も第２ボルトと共にできる。
従って、上記操作を繰り返すことで、第１ボルトと第２ボルトの締め付けのみの少ないボルト本数の操作で、作業手間少なく他物を上下及び横方向における固定位置を決定して強固に支持できる。
【０００８】
本発明の第２の特徴構成は、前記第１下地側縦壁部の外側に前記他物側縦壁部を配置させると共に、前記第１下地側縦壁部の内側に前記第１中間縦壁部を配置するようにして、それらを前記第１貫通孔を貫通する前記第１ボルトで共締め可能に構成したところにある。
【０００９】
本発明の第２の特徴構成によれば、本発明の第１の特徴構成による上述の作用効果を叶えることができるのに加えて、他物の荷重は、第１ボルトの締め付けにより、他物側縦壁部及び第１中間縦壁部から第１下地側縦壁部に伝達される際に、前記第１下地側縦壁部の外側に前記他物側縦壁部を配置させると共に、前記第１下地側縦壁部の内側に前記第１中間縦壁部を配置してあるために、第１下地側縦壁部の内外両面で他物側縦壁部と第１中間縦壁部とに対して大きな摩擦力が働き、第１下地側縦壁部による他物の支持強度をより向上させることができる。
【００１０】
本発明の第３の特徴構成は、前記中間連結用部材の上端部に前記他物固定用部材の下面部が載置可能に構成したところにある。
【００１１】
本発明の第３の特徴構成によれば、他物からの上下荷重が、他物固定用部材の下面から中間連結用部材の上端部に伝達されながら下地側支持部材に伝わるために、他物固定用部材に載置固定された他物を、より安定して支持できる。
【図面の簡単な説明】
【００１２】
【図１】他物固定具により他物を固定した状態の全体斜視図である。
【図２】他物固定具の全体斜視図である。
【図３】他物固定具の縦断正面図である。
【図４】要部の縦断側面図である。
【図５】下地側支持部材と中間連結用部材の組み付け前の分解斜視図である。
【図６】他物固定用部材の組み付け前の分解斜視図である。
【図７】中間連結用部材の斜視図で、（ａ）は下方からの斜視図、（ｂ）は上方からの斜視図である。
【図８】要部斜視図である。
【図９】他物固定用部材の斜視図である。
【図１０】他物固定用部材の平面図である。
【図１１】座金の斜視図で、（ａ）は上方からの斜視図、（ｂ）は下方からの斜視図である。
【図１２】別実施形態の要部縦断側面図である。
【図１３】従来例の他物固定具の全体斜視図である。
【図１４】別実施形態の分解斜視図である。
【図１５】別実施形態の横断平面図である。
【発明を実施するための形態】
【００１３】
以下に本発明の実施の形態を図面に基づいて説明する。
図１〜図１１に示すように、本発明の他物固定具の一実施形態品（以後、単に固定台１という）を使用して、屋上のコンクリート床やベランダ等の建築物（取付下地２の一例）の上に、ソーラーパネル４やその固定枠５等の他物３の一例としての固定対象部材を固定してある状況を示している。
【００１４】
当該実施形態においては、コンクリート床２の全域に防水シート６が敷設してある状態で、その上に、当該固定台１を設置して、他物３を固定台１に固定してある例を示している。
前記他物３は、形鋼をトラス構造に組みあげた固定枠５と、固定枠５の上面に沿って取り付けられたソーラーパネル４とを備えて構成してあり、固定枠５が、固定台１に他物固定ボルト２８とナットＮとで固定されている。
前記固定枠５は、ソーラーパネル４を傾斜姿勢に支持する構造に形成してあり、ソーラーパネル４が効率よく太陽光を受光できるように構成してある。
【００１５】
前記固定台１は、図２〜図１０に示すように板金で構成してある。
つまり、アンカーボルト７によって取付け下地に固定する第１固定部８を備えた下地側支持部材９と、上側の固定対象である他物を固定自在な第２固定部１０を備えた他物支持部材１１とを設け、下地側支持部材９の上端部と、他物支持部材１１の下端部とに、相互にボルトを介して連結自在な連結部１２を設けてある。
【００１６】
前記他物支持部材１１は、上端面に第２固定部１０を備えた他物固定用部材１３と、その他物固定用部材１３と下地側支持部材９との間に介在させる四角筒状の中間連結用部材１４とから構成してある。
前記連結部１２を構成するのに、下地側支持部材９の上端部に、互いに平行で対向する一対の第１下地側縦壁部１５を設けると共に、その第１下地側縦壁部１５とは異なった方向で互いに平行で対向する一対の第２下地側縦壁部１６とを設け、中間連結用部材１４に、第１下地側縦壁部１５に沿った一対の第１中間縦壁部１７と、第２下地側縦壁部１６に沿った一対の第２中間縦壁部１８とを設け、他物固定用部材１３に、第１中間縦壁部１７に沿った一対の他物側縦壁部１９を設け、第１下地側縦壁部１５と第１中間縦壁部１７と他物側縦壁部１９とに第１ボルト２０が共に貫通する第１貫通孔２１を夫々設け、第２下地側縦壁部１６と第２中間縦壁部１８とに第２ボルト２２が共に貫通する第２貫通孔２３を設けてある。
【００１７】
前記第１下地側縦壁部１５の第１貫通孔２１を上下方向に沿った縦長孔に形成し、他物側縦壁部１９の第１貫通孔２１を横方向に沿った横長孔に形成し、第１中間縦壁部１７の第１貫通孔２１を丸孔に形成し、第２下地側縦壁部１６の第２貫通孔２３を上下方向に沿った縦長孔に形成すると共に、第２中間縦壁部１８の第２貫通孔２３を丸孔に形成してある。
【００１８】
前記第１下地側縦壁部１５の外側に他物側縦壁部１９を配置させると共に、第１下地側縦壁部１５の内側に第１中間縦壁部１７を配置するようにして、それらを第１貫通孔２１を貫通する前記第１ボルト２０で共締め可能に構成してあり、第２下地側縦壁部１６の外側に第２中間縦壁部１８を配置するように形成してある。
【００１９】
図２、図３、図５、図７に示すように、第２ボルト２２は、組み付け時に第２下地側縦壁部１６の内側から挿通させ、その軸部を縦長孔の第２貫通孔２３の内縁部に接当して回り止めするように角棒形状の回り止め部４１を備え（図５）、外側から螺合させるナットＮで締め付け可能に構成してある。
第１ボルト２０は、第１下地側縦壁部１５の外側から縦長孔の第１貫通孔２１に挿通させ、第１ボルト２０に対するナットＮを、第１中間縦壁部１７の内側に回り止めするように保持するナット収納箱部２７を溶接にて一体取付けしてある。
【００２０】
図３、図４に示すように、前記中間連結用部材１４の上端部に他物固定用部材１３の下面部を載置可能に構成して、第２固定部１０に固定した他物の荷重が、中間連結用部材１４に直接伝わるようにして、第１下地側縦壁部１５の表裏両面に接触して挟み込む他物側縦壁部１９と第１中間縦壁部１７とから、両摩擦力により上からの荷重が、効率よく下地側支持部材９に伝達するように構成してある。
【００２１】
前記下地側支持部材９は、図２、図３、図５、図６に示すように、横断面視で略４角形の縦筒形状の筒本体部２４の上端部に、前記第１下地側縦壁部１５と第２下地側縦壁部１６とを連設するとともに、上下中間部に屋根部２５を組み付けて、溶接により一体化し、筒本体部２４の下端部に、第１固定部８を周部に形成した接地部２６を設けてある。
【００２２】
図８〜図１１に示すように、他物固定用部材１３における第２固定部１０は、他物を固定する他物固定ボルト２８の軸部を挿通させる軸部挿通部２９をアリ溝状に形成して、そのアリ溝状軸部挿通部２９の長手方向に第２固定部１０と他物とを相対的に連結固定位置変更自在に構成するのに、軸部挿通部２９の内周面に凹凸部３０を形成し、その凹凸部３０に係合可能な係合凹凸部３１を、他物固定ボルト２８に対する座金３２に設け、他物固定ボルト２８に対してナットＮを螺合させるに伴って係合凹凸部３１が凹凸部３０に係合して第２固定部１０と他物とが相対的に連結固定位置変更不能になるように構成してある。
図１０、図１１に示すように、前記凹凸部３０のピッチに対して、係合凹凸部３１のピッチを２倍に形成して、凹凸部３０のピッチに対してその１／２ずつ相対位置調整可能にしてある。
尚、本実施形態では、座金３２と他物固定ボルト２８とを別部材に設け、座金３２の下面側に、他物固定ボルト２８の６角頭部を内嵌させて回り止め可能に構成してある嵌合凹部３３を設け（図１１（ｂ））、他物固定ボルト２８に対する座金３２の挿通孔３４は、横断面を楕円形に形成して他物固定ボルト２８と座金３２とが少し相対移動を許容して、組み付け誤差を吸収できるように構成してある（図１０、図１１）。
このように構成することにより、他物支持部材１１に対して他物を確実に位置固定できる。
また、座金３２及び他物固定ボルト２８は、軸部挿通部２９の横端部の開口３５からアリ溝状の軸部挿通部２９内に嵌入可能にしてある。
【００２３】
前記固定台を取付け下地に固定して、他物を固定するにあたり、他物の上下左右固定位置調整を行う手順を示す。
１．  第２下地側縦壁部１６と第２中間縦壁部１８とを、夫々に設けた第２貫通孔２３に第２ボルト２２を貫通させ、第２下地側縦壁部１６の第２貫通孔２３と第２中間縦壁部１８の第２貫通孔２３との内の一方に形成した縦長孔に沿って第２下地側縦壁部１６に対して第２中間縦壁部１８を上下変位調整して仮り締めすることにより、他物支持部材１１の上下位置を仮り決めする（図５、図６）。
２．  次に、他物側縦壁部１９の第１貫通孔２１を横方向に沿った横長孔に形成してあるために、第１ボルト２０を締める前に、他物固定用部材１３を中間連結用部材１４に対して横方向に変位調整して締め付けることにより、他物の横方向における位置決めと同時に、上下方向の位置固定も第２ボルト２２の締め付けにより行う（図６）。
３．  上記操作を繰り返すことで、第１ボルト２０と第２ボルト２２の締め付けにより、他物を上下及び横方向における固定位置を決定する。
【００２４】
〔別実施形態〕
以下に他の実施の形態を説明する。
〈１〉  前記第１中間縦壁部１７の第１貫通孔２１は、丸孔以外に縦長孔でもよい。
〈２〉  第２下地側縦壁部１６の第２貫通孔２３を上下方向に沿った縦長孔に形成すると共に、第２中間縦壁部１８の第２貫通孔２３を丸孔に形成する以外に、その反対に、第２下地側縦壁部１６の第２貫通孔２３を丸孔に形成すると共に、第２中間縦壁部１８の第２貫通孔２３を上下方向に沿った縦長孔に形成してもよく、また、第２下地側縦壁部１６と第２中間縦壁部１８の第２貫通孔２３を、共に上下に沿った縦長孔に形成してもよく、結局、第２下地側縦壁部１６の第２貫通孔２３と第２中間縦壁部１８の第２貫通孔２３との内の少なくともいずれか一方を上下方向に沿った縦長孔に形成してあればよい。
〈３〉  図１２に示すように、第２下地側縦壁部１６の外側に第２中間縦壁部１８を重ねるのみならず、前記第１下地側縦壁部１５の外側に、第１中間縦壁部１７と他物側縦壁部１９とを重ねて配置してあってもよい。この場合、第１ボルト２０は、第１下地側縦壁部１５の内側から第１貫通孔２１に挿通させなければならず、そのために回り止めのために、図５の第２ボルト２２と同様に、第１貫通孔２１の内縁に係合する回り止め部４１を、基部に備えてある。
〈４〉  図１４、図１５に示すように、第１下地側縦壁部１５の内側に第１中間縦壁部１７を配置するのみならず、前記第２下地側縦壁部１６の内側に第２中間縦壁部１８を配置してあってもよい。この場合、第１中間縦壁部１７の内側、及び、第２中間縦壁部１８の内側にナット収納箱部２７を取り付けて、夫々外側から第１ボルト２０及び第２ボルト２２を、ナットＮに螺合させるようにする。
【００２５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２６】
２      取付下地
３      他物
８      第１固定部
９      下地側支持部材
１０    第２固定部
１１    他物支持部材
１２    連結部
１３    他物固定用部材
１４    中間連結用部材
１５    第１下地側縦壁部
１６    第２下地側縦壁部
１７    第１中間縦壁部
１８    第２中間縦壁部
１９    他物側縦壁部
２０    第１ボルト
２１    第１貫通孔
２２    第２ボルト
２３    第２貫通孔
【図１】
2015105533.tif 000003
【図２】
2015105533.tif 000004
【図３】
2015105533.tif 000005
【図４】
2015105533.tif 000006
【図５】
2015105533.tif 000007
【図６】
2015105533.tif 000008
【図７】
2015105533.tif 000009
【図８】
2015105533.tif 000010
【図９】
2015105533.tif 000011
【図１０】
2015105533.tif 000012
【図１１】
2015105533.tif 000013
【図１２】
2015105533.tif 000014
【図１３】
2015105533.tif 000015
【図１４】
2015105533.tif 000016
【図１５】
2015105533.tif 000017